(57)【要約】【課題】排紙ローラと壁体の端部との間に異物が挟まることを抑制して、排紙ローラやその周辺の部材の損傷を低減することのできる記録媒体排出装置を提供する。【解決手段】画像形成を行った記録媒体（用紙Ｐ）を排出する１または２以上の排出用ローラ（駆動ローラＲ１〜Ｒ４）と、排出用ローラの排出側の下方にあって、記録媒体の排出用ローラ側への戻りを規制する壁体Ａと、該壁体の前記各排出用ローラと対向する位置に、該排出用ローラの幅以下の幅長で形成される切欠部Ｎ１〜Ｎ４とを少なくとも備える。【選択図】図３
2010184784.tif 000002
【特許請求の範囲】
【請求項１】
画像形成を行った記録媒体を排出する１または２以上の排出用ローラと、
前記排出用ローラの排出側の下方にあって、前記記録媒体の排出用ローラ側への戻りを規制する壁体と、
該壁体の前記各排出用ローラと対向する位置に、前記排出用ローラの下端部から壁体の端部までの距離が、前記排出用ローラの幅以上に切り欠かれる切欠部と、
を少なくとも備えることを特徴とする記録媒体排出装置。
【請求項２】
画像形成を行った記録媒体を排出する１または２以上の排出用ローラと、
前記排出用ローラの排出側の下方にあって、前記記録媒体の排出用ローラ側への戻りを規制する壁体と、
該壁体の前記各排出用ローラと対向する位置に、該排出用ローラの幅以下の幅長で形成される切欠部と、
を少なくとも備えることを特徴とする記録媒体排出装置。
【請求項３】
前記壁体は、
前記排出用ローラによる前記記録媒体の巻き込みを抑制する第１の壁体形成部材と、
前記切欠部を備える第２の壁体形成部材と、
から構成されることを特徴とする請求項１または請求項２の何れかに記載の記録媒体排出装置。
【請求項４】
前記第１の壁体形成部材の前面側または後面側には、前記第２の壁体形成部材を嵌め込む嵌込部が形成され、
前記第２の壁体形成部材は、前記嵌込部に嵌め込まれる入れ子として形成されることを特徴とする請求項３に記載の記録媒体排出装置。
【請求項５】
請求項１から請求項４の何れかに記載の記録媒体排出装置を備えることを特徴とする画像形成装置。
【発明の詳細な説明】
【技術分野】
【０００１】
本発明は、記録媒体排出装置、当該記録媒体排出装置を備える画像形成装置に関するものである。
【背景技術】
【０００２】
プリンタ等の画像形成装置において、印刷処理が終了した印刷用紙等の記録媒体を排紙トレイ等に排出する記録媒体排出装置が設けられている。
【０００３】
従来の記録媒体排出装置は、例えば画像形成手段により画像を形成された印刷用紙を排出する排出口と、印刷用紙を排出する方向に回転する複数の排紙ローラと、排出口から排出された印刷用紙を受ける排紙トレイと、排出用ローラの排出側の下方に対向して設けられて、排紙トレイ上に堆積される印刷用紙が排紙ローラ側に戻るのを規制する壁体とから構成されている。
【０００４】
ところで、上記構成の記録媒体排出装置にあっては、排紙ローラと壁体の上端との間に異物が挟まる虞があった。
【０００５】
そこで、種々の対策を講じた記録媒体排出装置あるいは印刷装置等が提案されている。
【０００６】
例えば、特開平８−１３３５５０号公報には、用紙受け側の下方に位置する排紙ローラの外周面に沿うように、上方に位置する排紙ローラに向けて巻き込み防止カバーを設けた排出口を設けた構成が開示されている。
【特許文献１】特開平８−１３３５５０号公報
【発明の開示】
【発明が解決しようとする課題】
【０００７】
本発明は、排紙ローラと壁体の端部との間に異物が挟まることを抑制して、排紙ローラやその周辺の部材の損傷を低減することのできる記録媒体排出装置、当該記録媒体排出装置を備える画像形成装置を提供することを目的とする。
【課題を解決するための手段】
【０００８】
前記課題を解決するため、請求項１の発明に係る記録媒体排出装置は、画像形成を行った記録媒体を排出する１または２以上の排出用ローラと、前記排出用ローラの排出側の下方にあって、前記記録媒体の排出用ローラ側への戻りを規制する壁体と、該壁体の前記各排出用ローラと対向する位置に、前記排出用ローラの下端部から壁体の端部までの距離が、前記排出用ローラの幅以上に切り欠かれる切欠部とを少なくとも備えることを特徴とする。
【０００９】
請求項２の発明に係る記録媒体排出装置は、画像形成を行った記録媒体を排出する１または２以上の排出用ローラと、前記排出用ローラの排出側の下方にあって、前記記録媒体の排出用ローラ側への戻りを規制する壁体と、該壁体の前記各排出用ローラと対向する位置に、該排出用ローラの幅以下の幅長で形成される切欠部とを少なくとも備えることを特徴とする。
【００１０】
請求項３の発明に係る記録媒体排出装置は、請求項１または請求項２の何れかに記載の発明について、前記壁体は、前記排出用ローラによる前記記録媒体の巻き込みを抑制する第１の壁体形成部材と、前記切欠部を備える第２の壁体形成部材とから構成されることを特徴とする。
【００１１】
請求項４の発明に係る記録媒体排出装置は、請求項３に記載の発明について、前記第１の壁体形成部材の前面側または後面側には、前記第２の壁体形成部材を嵌め込む嵌込部が形成され、前記第２の壁体形成部材は、前記嵌込部に嵌め込まれる入れ子として形成されることを特徴とする。
【００１２】
請求項５の発明に係る画像形成装置は、請求項１から請求項４の何れかに記載の記録媒体排出装置を備えることを特徴とする。
【発明の効果】
【００１３】
本発明によれば以下の効果を奏することができる。
【００１４】
すなわち、請求項１に記載の発明によれば、本構成を有していない場合に比較して、排出用ローラと壁体の端部との間に、例えば指先大程度の異物が挟まることを抑制して、排出用ローラやその周辺の部材の損傷を低減することができる。
【００１５】
請求項２に記載の発明によれば、本構成を有していない場合に比較して、排出用ローラと壁体の端部との間に異物が挟まることを抑制して、排出用ローラやその周辺の部材の損傷を低減することができる。
【００１６】
請求項３に記載の発明によれば、本構成を有していない場合に比較して、壁体を構成する第１の壁体形成部材および第２の壁体形成部材の寸法精度が出し易く、記録媒体排出装置の精度、品質を向上させることができる。
【００１７】
請求項４に記載の発明によれば、本構成を有していない場合に比較して、記録媒体が排出用ローラ側に戻って巻き込まれることを防止することができる。
【００１８】
請求項５に記載の発明によれば、本構成を有していない場合に比較して、画像形成装置において排出用ローラと壁体の端部との間に異物が挟まることを抑制して、排出用ローラやその周辺の部材の損傷を低減することができる。
【発明を実施するための最良の形態】
【００１９】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
（実施の形態）
【００２１】
図１から図７を参照して、本発明についての実施の形態に係る記録媒体排出装置Ｍ１について説明する。
【００２２】
図１には、本発明の実施の形態に係る記録媒体排出装置Ｍ１を備えた画像形成装置としてのプリンタＰＲ１の概略構成図が示されている。
【００２３】
プリンタＰＲ１は、特には限定されないが、本実施の形態ではタンデム型フルカラープリンタであるものとする。
【００２４】
プリンタＰＲ１は、大きく分けて、画像形成部１１２、転写部１１４および定着部（定着装置）１１６により構成されている。
【００２５】
プリンタＰＲ１は、Ｙ（イエロー）、Ｍ（マゼンタ）、Ｃ（シアン）およびＫ（ブラック）の各色の画像を形成する画像形成部１２４Ｙ、１２４Ｍ、１２４Ｃ、１２４Ｋが、所定の間隔をおいて並列状に配置されている。
【００２６】
なお、ここでは、画像形成部１２４Ｙ、１２４Ｍ、１２４Ｃ、１２４Ｋは、略同一の構成とされているので、イエロー色に対応する画像形成部１２４Ｙを例にとって説明する。
【００２７】
画像形成部１２４Ｙは、感光体ドラム１２８Ｙを備えており、感光体ドラム１２８Ｙは図示しない駆動手段によって所定の速度で回転駆動されるようになっている。
【００２８】
感光体ドラム１２８Ｙには、帯電ローラ１３０Ｙが接触するように配置されている。この帯電ローラ１３０Ｙによって、感光体ドラム１２８Ｙの表面は一様に帯電される。
【００２９】
また、感光体ドラム１２８Ｙの図中右側には、光走査装置１２６が配置されており、感光体ドラム１２８Ｙにレーザ光Ｒ（Ｙ）を照射する。これによって、感光体ドラム１２８Ｙの表面に静電潜像が形成される。
【００３０】
レーザ光Ｒ（Ｙ）の照射位置よりも感光体ドラム１２８Ｙの回転方向下流側には、現像器１３２Ｙが配置されている。
【００３１】
この現像器１３２Ｙから感光体ドラム１２８Ｙにトナーが供給され、感光体ドラム１２８Ｙの表面に形成された静電潜像をトナーによって顕像化して、感光体ドラム１２８Ｙの表面にトナー像を形成する。
【００３２】
感光体ドラム１２８Ｙのトナー像は、転写部１１４の第１の一次中間転写ドラム１３６Ａへ一次転写され、イエロー色とマゼンダ色のカラー像となる。
【００３３】
そして、二次中間転写ドラム１３８へ二次転写されることで、第２の一次中間転写ドラム１３６Ｂから転写されたシアン色、ブラック色のトナー像と重なり、イエロー色、マゼンタ色、シアン色、ブラック色のフルカラートナー像となる。
【００３４】
ここで、用紙カセット１４２の用紙排出口の近くに設けられたピックアップローラ１４４とリタードローラ１４６とのローラ対によって用紙カセット１４２から用紙（記録媒体）Ｐが取り出され、ピックアップローラ１４４とリタードローラ１４６の搬送方向下流側に配設された用紙搬送ローラ１４８を経て、二次中間転写ドラム１３８と転写ローラ１４０のニップ部に送り込まれ、用紙Ｐの表面に、フルカラートナー像が静電転写される。
【００３５】
このフルカラートナー像が転写された用紙Ｐは、定着装置１１６の加熱ローラ１２０および加圧ローラ１１８で加熱加圧されることによって、用紙Ｐの表面にトナー像が定着する。
【００３６】
そして、トナー像が定着された用紙Ｐは、後述する記録媒体排出装置Ｍ１を介して排紙トレイ１５１へ排紙されて積載される。
【００３７】
ここで、図２から図７を参照して、記録媒体排出装置Ｍ１の構成例について説明する。
【００３８】
記録媒体排出装置Ｍ１は、主に、樹脂製の筐体（ケース）Ｃの長手方向にわたって設けられ、図示しない駆動源（モータ等）によって排出方向に回転される回転軸１５と、回転軸１５に設けられるゴム製の駆動ローラ（排出用ローラ）Ｒ１、Ｒ２、Ｒ３、Ｒ４と、各駆動ローラＲ１、Ｒ２、Ｒ３、Ｒ４と対向する位置に設けられて従動して用紙Ｐを排出する排紙ローラ１０と、用紙Ｐの後端部を蹴り出す蹴出ローラ４０と、回転軸１５の撓みを防止する軸受部１７と、用紙Ｐの排紙状況を検出する排紙センサ１６と、排紙トレイ１５１に貯留される用紙Ｐが記録媒体排出装置Ｍ１側に巻き込まれることを防止する壁体Ａとから構成されている。
【００３９】
記録媒体排出装置Ｍ１に送り込まれた用紙Ｐは、駆動ローラＲ１、Ｒ２、Ｒ３、Ｒ４と排紙ローラ１０にニップされて、駆動ローラＲ１、Ｒ２、Ｒ３、Ｒ４の回転によって排紙トレイ１５１上に排紙される（図１参照）。
【００４０】
本実施の形態における壁体Ａは、用紙Ｐの駆動ローラＲ１、Ｒ２、Ｒ３、Ｒ４側への戻りを規制する第１の壁体形成部材としての壁部材２０と、各駆動ローラＲ１、Ｒ２、Ｒ３、Ｒ４と対向する位置に当該駆動ローラＲ１、Ｒ２、Ｒ３、Ｒ４の幅以下の幅長で形成される切欠部Ｎ１〜Ｎ４を備える第２の壁体形成部材としての入れ子３０とから構成されている。
【００４１】
また、本実施の形態においては、排紙センサ１６と対向する位置の壁体Ｗ３は、切欠部Ｎ１０を挟む壁体Ｗ３ａとＷ３ｂとから構成されている。
【００４２】
壁部材２０の前面側または後面側には、入れ子３０を嵌め込む嵌込部が形成され、入れ子３０は、その嵌込部に嵌め込まれるようになっている。
【００４３】
なお、壁部材２０および入れ子３０は、ＡＢＳ等の樹脂で成形することができる。
【００４４】
このように、壁体Ａを壁部材２０と、入れ子３０で構成することにより、壁部材２０が多少撓んでも入れ子３０が用紙をガイドするので、用紙後端が壁部材２０の端部に引っかかりにくい。したがって寸法精度が出し易く、記録媒体排出装置Ｍ１の精度、品質が向上される。
【００４５】
なお、本実施の形態では、壁体Ａは壁部材２０と入れ子３０で構成されているが、一体的に構成することも可能である。
【００４６】
また、駆動ローラＲ１、Ｒ２、Ｒ３、Ｒ４の下端部から切欠部Ｎ１〜Ｎ４の端部との距離は、例えば２０ｍｍとすることができる。
【００４７】
これにより、例えば筆記具、筆記具のキャップなど指先大程度の異物が誤って切欠部Ｎ１〜Ｎ４と駆動ローラＲ１、Ｒ２、Ｒ３、Ｒ４の間に入ったような場合であっても、それらの異物は切欠部Ｎ１〜Ｎ４の下方側に逃げるので、駆動ローラＲ１、Ｒ２、Ｒ３、Ｒ４に巻き込まれることが抑制され、記録媒体排出装置Ｍ１の故障や異物側の破損が回避される。
【００４８】
なお、駆動ローラＲ１、Ｒ２、Ｒ３、Ｒ４の下端部から切欠部Ｎ１〜Ｎ４の端部との距離は上述の２０ｍｍに限らず、標準的な大人の人差し指先の厚みである１５ｍｍ以上程度であればよい。
【００４９】
（参考例）
【００５０】
次に、図８から図１３を参照して、参考例としての記録媒体排出装置Ｍ２、Ｍ３の構成について説明する。
【００５１】
記録媒体排出装置Ｍ２、Ｍ３は、本発明とは技術的思想を異にし、異物が記録媒体排出装置Ｍ２内に侵入した際に、駆動ローラＲ３０の駆動を停止させる構成となっている。
【００５２】
まず、図８から図１０を参照して、記録媒体排出装置Ｍ２の構成について説明する。
【００５３】
記録媒体排出装置Ｍ２は、図示しない駆動源に接続される回転軸５１に支持される複数（図１０に示す例では３個）の駆動ローラＲ３０と、回転軸５０で支持され各駆動ローラＲ３０によって従動される排紙ローラＲ２０と、回転軸６０ａに支持されて駆動ローラＲ３０側に傾倒可能な用紙後端規制ガイド６０と、作動杵６１と、作動杵６１の作動に応じてオン・オフされるセンサ（光センサ等）６２とから構成されている。
【００５４】
また、詳細な構成については割愛するが、用紙後端規制ガイド６０を支持する回転軸６０ａは、矢印Ｂ方向に移動可能となっている。また、回転軸６０ａは、矢印Ｂ方向に抗する方向に付勢されている。
【００５５】
なお、図８、図９において、符号１００は、筆記具、筆記具のキャップなど指先大程度の異物である。
【００５６】
図１０の（ａ）、（ｂ）に示すように、用紙後端規制ガイド６０は、各駆動ローラＲ３０に対向して設けられている。
【００５７】
作動杵６１は、図１０の（ｃ）に示すように、回転軸６０ａに作動子６１ａが前記各用紙後端規制ガイド６０と対向する位置に固設され、回転軸６０ａの一端部（図上は右端部）にはセンサ６２をオン・オフさせる作動子６１ｂが固設されている。
【００５８】
そして、図８および図１０の（ａ）に示すように、用紙後端規制ガイド６０の何れも傾倒されない通常状態において、センサ６２はモータ等の駆動源をオンする状態が保持される。これにより、駆動ローラＲ３０が回転され、用紙Ｐの排紙が行われる状態となる。
【００５９】
一方、図９および図１０の（ｂ）に示すように、用紙後端規制ガイド６０の何れかが、異物１００等の侵入によって傾倒されると、作動杵６１が作動され、センサ６２はモータ等の駆動源をオフする状態に移行する。これにより、駆動ローラＲ３０の回転が停止され、異物１００等が駆動ローラＲ３０に巻き込まれる事態が回避される。
【００６０】
また、用紙後端規制ガイド６０自体が傾倒して、異物１００等を退避するので、用紙後端規制ガイド６０が損傷する事態が回避される。
【００６１】
次に、図１１から図１３を参照して、記録媒体排出装置Ｍ３の構成について説明する。
【００６２】
記録媒体排出装置Ｍ３は、図示しない駆動源に接続される回転軸１６１に支持される複数（例えば３個）の駆動ローラＲ５１と、回転軸１６０で支持され各駆動ローラＲ５１によって従動される排紙ローラＲ５０と、回転軸５００ａに支持されて駆動ローラＲ５１側に傾倒可能な用紙後端規制ガイド５００と、リンク機構４００、４０１、４０２と、リンク機構４００、４０１、４０２の作動に応じてオン・オフされるセンサ（光センサ等）４０３とから構成されている。
【００６３】
また、詳細な構成については割愛するが、用紙後端規制ガイド５００を支持する回転軸５００ａは、矢印Ｂ方向に移動可能となっている。また、回転軸５００ａは、矢印Ｂ方向に抗する方向に付勢されている。
【００６４】
なお、図１３において、符号１００は、筆記具、筆記具のキャップなど指先大程度の異物である。
【００６５】
用紙後端規制ガイド５００は、前出の図１０の（ａ）、（ｂ）に示すように、各駆動ローラＲ５１に対向して設けられている。
【００６６】
リンク機構４００は、作動子４００ａと、ボルト４００ｃを介して作動子４００ａに略９０度の角度で固定される作動子４００ｂとから構成される。
【００６７】
また、リンク機構４０１は、作動子４０１ａと、ボルト４０１ｃを介して作動子４００ａに約１６０度の角度で固定される作動子４０１ｂとから構成される。
【００６８】
また、リンク機構４０２は、作動子４０２ａと、回転軸４０２ｃを介して作動子４０２ａに約９０度の角度で固定される作動子４０２ｂと、垂直方向に延設されるコンロッド４０２ｄと、コンロッド４０２ｄと連結される作動子４０２ｅと、ボルト４０２ｇを介して作動子４０２ｅに約９０度の角度で固定される作動子４０２ｆとから構成される。
【００６９】
そして、図１１に示すように、用紙Ｐが駆動ローラＲ５１と排紙ローラＲ５０との間に挿通されない状態においては、リンク機構４０１の作動子４０１ｂは、下がった状態を保持し、センサ４０３はモータ等の駆動源をオフにした状態に保持する。
【００７０】
次いで、図１２に示すように、用紙Ｐが駆動ローラＲ５１と排紙ローラＲ５０との間を挿通されると、リンク機構４００の作動子４００ｂが用紙Ｐによって押し上げられ、作動子４００ａは下方に移動される。下方に移動した作動子４００ｃはリンク機構４０１の作動子４０１ａを押し下げ、作動子４０１ｂはセンサ４０３の位置に移動される。
【００７１】
これにより、センサ６２はモータ等の駆動源をオンにする状態に移行し、用紙Ｐの排出動作が行われる。
【００７２】
一方、図１３に示すように、用紙後端規制ガイド５００の何れかが、異物１００等の侵入によって傾倒されると、リンク機構４０２が作動され、作動子４０２ｆによりリンク機構４０１の作動子４０１ａが押し下げられ、作動子４０１ｂがセンサ４０３の上方に移動される。これにより、センサ６２はモータ等の駆動源をオフする状態に移行し、駆動ローラＲ５１の回転が停止され、異物１００等が駆動ローラＲ５１に巻き込まれる事態が回避される。
【００７３】
また、用紙後端規制ガイド５００自体が傾倒して、異物１００等を退避するので、用紙後端規制ガイド５００が損傷する事態が回避される。
【００７４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【産業上の利用可能性】
【００７５】
本発明による記録媒体排出装置、当該記録媒体排出装置を備える画像形成装置および画像形成システムは、複写装置、レーザプリンタ、フルカラープリンタ、複合機、ファクシミリ装置等に適用することができる。
【図面の簡単な説明】
【００７６】
【図１】実施の形態に係る記録媒体排出装置Ｍ１を備えたプリンタＰＲ１の概略構成図である。
【図２】実施の形態に係る記録媒体排出装置Ｍ１を示す正面図である。
【図３】実施の形態に係る記録媒体排出装置Ｍ１を示す一部拡大正面図である。
【図４】実施の形態に係る記録媒体排出装置Ｍ１を示す右方斜視図である。
【図５】実施の形態に係る記録媒体排出装置Ｍ１を示す左方斜視図である。
【図６】実施の形態に係る記録媒体排出装置Ｍ１を示す端面図である。
【図７】実施の形態に係る記録媒体排出装置Ｍ１を示す端面図である。
【図８】参考例に係る記録媒体排出装置Ｍ２の構成を示す構成図である。
【図９】参考例に係る記録媒体排出装置Ｍ２の動作を示す説明図である。
【図１０】参考例に係る記録媒体排出装置Ｍ２の構成を示す説明図である。
【図１１】参考例に係る記録媒体排出装置Ｍ３の構成を示す構成図である。
【図１２】参考例に係る記録媒体排出装置Ｍ３の動作を示す説明図である。
【図１３】参考例に係る記録媒体排出装置Ｍ３の動作を示す説明図である。
【符号の説明】
【００７７】
ＰＲ１  プリンタ（画像形成装置）
Ａ  壁体
Ｍ１  記録媒体排出装置
Ｒ１〜Ｒ４  駆動ローラ（排出用ローラ）
Ｗ３  壁体
Ｗ３ａ、Ｗ３ｂ  壁体
１０  排紙ローラ
１５  回転軸
１６  排紙センサ
１７  軸受部
２０  壁部材（第１の壁体形成部材）
３０  入れ子（第２の壁体形成部材）
４０  蹴出ローラ
Ｎ１〜Ｎ４  切欠部
Ｎ１０  切欠部
５０  回転軸
５１  回転軸
６０  用紙後端規制ガイド
６０ａ  回転軸
６１  作動杵
６１ａ  作動子
６１ｂ  作動子
６２  センサ
１００  異物
１１２  画像形成部
１１４  転写部
１１６  定着装置
１１８  加圧ローラ
１２０  加熱ローラ
１２４Ｙ  画像形成部
１２６  光走査装置
１２８Ｙ  感光体ドラム
１３０Ｙ  帯電ローラ
１３２Ｙ  現像器
１３６Ａ  一次中間転写ドラム
１３６Ｂ  一次中間転写ドラム
１３８  二次中間転写ドラム
１４０  転写ローラ
１４２  用紙カセット
１４４  ピックアップローラ
１４６  リタードローラ
１４８  用紙搬送ローラ
１５１  排紙トレイ
１６０  回転軸
１６１  回転軸
Ｍ２、Ｍ３  記録媒体排出装置
４００  リンク機構
４００ａ  作動子
４００ｂ  作動子
４００ｃ  ボルト
４０１  リンク機構
４０１ａ  作動子
４０１ｂ  作動子
４０１ｃ  ボルト
４０２  リンク機構
４０２ａ  作動子
４０２ｂ  作動子
４０２ｃ  回転軸
４０２ｄ  コンロッド
４０２ｅ  作動子
４０２ｆ  作動子
４０２ｇ  ボルト
４０３  センサ
５００  用紙後端規制ガイド
５００ａ  回転軸
Ｐ  用紙
Ｒ２０  排紙ローラ
Ｒ３０  駆動ローラ
Ｒ５０  排紙ローラ
Ｒ５１  駆動ローラ
【図１】
2010184784.tif 000003
【図２】
2010184784.tif 000004
【図３】
2010184784.tif 000005
【図４】
2010184784.tif 000006
【図５】
2010184784.tif 000007
【図６】
2010184784.tif 000008
【図７】
2010184784.tif 000009
【図８】
2010184784.tif 000010
【図９】
2010184784.tif 000011
【図１０】
2010184784.tif 000012
【図１１】
2010184784.tif 000013
【図１２】
2010184784.tif 000014
【図１３】
2010184784.tif 000015